(57)【要約】  【課題】自分で歌唱した際に実際に聴いた自らの歌唱音と同じ雰囲気や印象で、録音された歌唱音を聴きたいという要望に応え、録音された歌唱音を歌唱者自らが違和感なく聴き得る新たな録音再生システムの提供を課題とする。  【解決手段】    所定の楽曲が歌唱された際に、空気伝導マイク及び骨伝導マイクから同時入力された利用者の歌唱音を、空気伝導録音データ及び骨伝導録音データとして分類し、各録音データを所定の録音データ記録部に記録し、記録されている空気伝導録音データ及び骨伝導録音データにつき、少なくとも利用者の空気伝導録音データと骨伝導録音データからなる組み合わせの録音データを抽出可能とし、抽出された組み合せ録音データのそれぞれを同期再生するように制御する。【選択図】図１
2010176041.tif 000002
【特許請求の範囲】
【請求項１】
利用者が歌唱する楽曲につき、空気伝導マイクと骨伝導マイクを利用して同時入力された利用者の歌唱音を録音し、録音された歌唱音を適宜に再生するシステムであって、
マイク入力音記録手段と、録音データ組み合せ抽出手段と、録音データ再生手段とを有し、
（ア）マイク入力音記録手段とは、所定の楽曲が歌唱された際に、前記空気伝導マイク及び骨伝導マイクから同時入力された利用者の歌唱音を、空気伝導録音データ及び骨伝導録音データとして分類し、当該各録音データを所定の録音データ記録部に記録するものであり、
（イ）録音データ組み合せ抽出手段とは、前記記録されている空気伝導録音データ及び骨伝導録音データにつき、少なくとも前記利用者の空気伝導録音データと骨伝導録音データからなる組み合わせ録音データを抽出可能とするものであり、
（ウ）録音データ再生制御手段とは、前記抽出された組み合せ録音データのそれぞれを同期再生するように制御するものである、
ことを特徴とする歌唱音録音再生システム。
【請求項２】
複数の利用者が歌唱するデュエット楽曲につき、空気伝導マイクと骨伝導マイクを利用して同時入力された利用者の歌唱音を録音し、録音された歌唱音を適宜に再生するシステムであって、
マイク入力音記録手段と、録音データ組み合せ抽出手段と、録音データ再生手段とを有し、
（ア）マイク入力音記録手段とは、所定のデュエット楽曲が歌唱された際に、前記空気伝導マイク及び骨伝導マイクから同時入力された各々の利用者の歌唱音を、空気伝導録音データ及び骨伝導録音データとして分類し、当該各録音データを所定の録音データ記録部に利用者別に記録するものであり、
（イ）録音データ組み合せ抽出手段とは、前記記録されている各利用者の空気伝導録音データ及び骨伝導録音データにつき、少なくとも一の利用者の空気伝導録音データと骨伝導録音データに加え、別の利用者の空気伝導録音データからなる組み合わせ録音データを抽出可能とするものであり、
（ウ）録音データ再生制御手段とは、前記抽出された組み合せ録音データのそれぞれを同期再生するように制御するものである、
ことを特徴とする歌唱音録音再生システム。
【請求項３】
前記空気伝導マイクの本体所定部に前記骨伝導マイクが装着され、当該両マイクが一体化してなる複合マイクを用いていることを特徴とする請求項１及び請求項２記載の歌唱音録音再生システム。
【発明の詳細な説明】
【技術分野】
【０００１】
本発明は、利用者が歌唱する楽曲につき、空気伝導マイクと骨伝導マイクを利用して同時入力された歌唱音を録音し、録音された歌唱音を適宜に再生するシステムに関する。
【背景技術】
【０００２】
従来のカラオケ装置のコンテンツには、例えば、カラオケ装置に搭載されている採点機能を用いて、利用者の歌唱音を採点したり、録音機能を用いて、利用者自らの歌唱音を後で聴くことができたり、ＣＤやＤＶＤ等に書き込んだりできるようにするものがある。さらに、現在ではインターネットを用いたサービスを行うことが可能になったことから、例えば、採点された利用者別の楽曲の得点に基づき、これを全国ランキング形式にて表示して、全国の利用者同士で得点を競うものや、録音された歌唱音のファイルをサーバにアップロードすることにより、ホームページにて自身の歌声を公開したり、歌唱音のファイルを審査員が評価することにより、利用者参加オーディションのようなコンテンツを実施することも可能となった。
【０００３】
ところで、現在では、人の頬や顎に接触させることにより、利用者の発話する際の骨の振動をピックアップする骨伝導技術が実用化されている。例えば、この技術を応用した骨伝導マイクは環境音などの雑音は拾わず、発話音声以外には反応しないために、工事現場や飛行場等の比較的騒音が多い場所で働く人等に利用されている。しかし、この骨伝導マイクから入力された音声の周波数特性は、一般的に使用されている空気振動の伝導にて音声を伝える空気伝導マイクから入力された音声の周波数特性とは異なるために、例えば、携帯電話で骨伝導マイクを用いた場合には、相手側には利用者の声が、いつもの声と違うように聞こえるために違和感を与えることがある。このような問題に対して、特許文献１では、骨伝導マイクと通常のコンデンサマイクにて入力された音声を周波数スペクトル分析し、その差をキャンセルするようなイコライジング特性をイコライザにて設定することにより、骨伝導マイクで入力された音声をコンデンサマイクで入力された音声と、ほぼ同じ音質の音声に変換し出力する技術が開示されている。
【０００４】
また、この骨伝導技術をカラオケの分野に応用したものとして、例えば、特許文献２では、カラオケマイクに付帯された骨伝導スピーカにて、ガイドメロディ等の歌唱アシスト情報を出力する技術が開示されている。この特許文献２では、骨伝導スピーカから出力される歌唱アシストを、歌唱者の鼓膜を震わせる振動で伝えるのではなく、骨伝導、すなわち、利用者の頬骨や顎骨を震わせ、その振動を耳の奥の蝸牛という器官に直接伝える技術が開示されている。これにより、歌唱者に対しては歌唱アシストを明瞭に聴かせることができるものの、歌唱者以外の他者に対しては歌唱アシストは聴こえないため、内々で好適にアシストされた歌唱者の歌唱音声のみを聴くことが可能となるものである。
【先行技術文献】
【特許文献】
【０００５】
【特許文献１】特開２００２−１２５２９８号公報
【０００６】
【特許文献２】特開２００５−２４２０５４号公報
【発明の概要】
【発明が解決しようとする課題】
【０００７】
さて、利用者は、カラオケ装置の録音コンテンツにて、自身の録音された歌唱音の確認のために試聴することがある。この時には、普通、利用者は自分が実際に歌っていた歌唱音とこれを録音した歌唱音とが異なっているように聴こえ、違和感を覚えるものである。これは、利用者が録音された自分の声を間接的に聞く場合は、空気の振動である音は、音波が空気中から外耳道に入り、鼓膜を振動させ、やがて蝸牛に伝えられる空気伝導のみに依るものであるが、対して、自分の声を直接的に聞く場合には、空気伝導に加え、音声振動が頭蓋骨に伝わり、骨を振動させ振動を蝸牛に伝える骨伝導で音声を聞くためで、すなわち、空気伝導と骨伝導との合成音を聞いているからである。
【０００８】
ところで、この録音コンテンツを利用した歌唱者の中には、自分で歌唱した際に実際に聴いた歌唱音と同じ雰囲気や印象で録音された歌唱音を聴きたいという要望も多々ある。しかしながら、上記したように、現実には、歌っていた歌唱音と録音した歌唱音とが異なっているように聴こえ、違和感を覚えるものである。すなわち、従来のカラオケ装置の仕組みでは、このような要望に対応することはできない。
【０００９】
そこで、本発明は、カラオケ装置の録音コンテンツを利用した歌唱者による、自分で歌唱した際に実際に聴いた自らの歌唱音と同じ雰囲気や印象で、録音された歌唱音を聴きたいという要望に応え、録音された歌唱音を歌唱者自らが違和感なく聴き得る新たな録音再生システムの提供を課題とする。
【課題を解決するための手段】
【００１０】
上記課題を鑑み、本発明は、空気伝導マイクと骨伝導マイクから同時入力された歌唱音の各々の録音データを分類して記録し、これより抽出された利用者の空気伝導録音データと骨伝導録音データからなる組み合わせ、録音データのそれぞれを同期再生することにより、上記課題を解決できることを想到した。
【００１１】
すなわち、本発明の請求項１記載の歌唱音録音再生システムとは、利用者が歌唱する楽曲につき、空気伝導マイクと骨伝導マイクを利用して同時入力された利用者の歌唱音を録音し、録音された歌唱音を適宜に再生するシステムであって、所定の楽曲が歌唱された際に、空気伝導マイク及び骨伝導マイクから同時入力された利用者の歌唱音を、空気伝導録音データ及び骨伝導録音データとして分類し、各録音データを所定の録音データ記録部に記録し、そして、記録されている空気伝導録音データ及び骨伝導録音データにつき、少なくとも利用者の空気伝導録音データと骨伝導録音データからなる組み合わせ、録音データを抽出可能とし、抽出された組み合せ録音データのそれぞれを同期再生するように制御することを特徴とする。
【００１２】
また、本発明の請求項２記載の歌唱音録音再生システムとは、複数の利用者が歌唱するデュエット楽曲につき、空気伝導マイクと骨伝導マイクを利用して同時入力された利用者の歌唱音を録音し、録音された歌唱音を適宜に再生するシステムであって、所定のデュエット楽曲が歌唱された際に、空気伝導マイク及び骨伝導マイクから同時入力された各々の利用者の歌唱音を、空気伝導録音データ及び骨伝導録音データとして分類し、各録音データを所定の録音データ記録部に利用者別に記録し、そして、記録されている各利用者の空気伝導録音データ及び骨伝導録音データにつき、少なくとも一の利用者の空気伝導録音データと骨伝導録音データに加え、別の利用者の空気伝導録音データからなる組み合わせ、録音データを抽出可能とし、抽出された組み合せ録音データのそれぞれを同期再生するように制御することを特徴とする。
【００１３】
さらに、本発明の請求項３記載の歌唱音録音再生システムとは、上記各システムにおいて、空気伝導マイクの本体所定部に前記骨伝導マイクが装着され、両マイクが一体化している複合マイクを用いていることを特徴とする。
【発明の効果】
【００１４】
したがって、本発明の請求項１記載の歌唱音録音再生システムによれば、所定の楽曲が歌唱された際に、空気伝導マイク及び骨伝導マイクから同時入力された歌唱音を、空気伝導録音データ及び骨伝導録音データに分類し各録音データを記録することにより、利用者の空気録音データと骨伝導データを組み合せ抽出し、同期再生することが可能となる。よって、利用者は、録音した自身の歌唱音を空気伝導と骨伝導との合成音として聴くことができるため、実際の歌唱音と同じ雰囲気や印象で違和感なく聴くことができるといった効果を奏する。
【００１５】
また、本発明の請求項２記載の歌唱音録音再生システムによれば、所定のデュエット楽曲が歌唱された際に、空気伝導マイク及び骨伝導マイクから同時入力された歌唱音を、空気伝導録音データ及び骨伝導データに分類し各録音データを記録することにより、利用者の空気伝導録音データと骨伝導録音データに加え、デュエット相手の空気伝導録音データを組み合せ抽出し、同期再生することが可能となる。よって、一方のデュエット利用者は、録音したデュエット相手の歌唱音を歌唱時と同様の雰囲気や印象にて聴けると共に、自身の歌唱音も空気伝導と骨伝導との合成音として聴くことができるため、実際のデュエット歌唱音と同じ雰囲気や印象で違和感なく聴くことができるといった効果を奏する。
【００１６】
さらに、本発明の請求項３記載の歌唱音再生システムによれば、空気伝導マイクの本体所定部に骨伝導マイクが装着され、一体化された複合マイクとしていることにより、利用者は別途ヘッドセット等を装着することなく、通常のカラオケマイクを使用するのと同じように歌唱するだけで、空気伝導マイクと骨伝導マイクに歌唱音を同時に入力することができるといった効果を奏する。
【図面の簡単な説明】
【００１７】
【図１】本発明のシステムに関する主要構成部のブロック構成図である。
【図２】本マイクロホンの形態を示した図である。
【図３】各録音データの記録とそれらの再生時の組み合せを示す図である。
【図４】空気伝導及び骨伝導録音データを同期再生する処理を示すフローである。
【発明を実施するための形態】
【００１８】
以下に、本発明の歌唱音録音再生システムについて適切な実施例を挙げ、先ずは、図１に示す「本発明のシステムに関する主要構成部のブロック構成図」について説明する。
【００１９】
図１は、本発明のシステムに関する主要構成部のブロック構成図である。本システムは、カラオケ装置（１）に組み込まれてなり、利用者の歌唱音を、空気伝導入力部（ｍａ１，ｍａ２）と骨伝導入力部（ｍｂ１，ｍｂ２）に同時入力可能な、２本の空気骨伝導一体型マイク（Ｍ１，Ｍ２）（以下「一体型マイク」と称す）から構成されている。ここで本システムの各種機能手段について説明する。先ず、カラオケ装置（１）の本体に接続される２本の一体型マイク（Ｍ１，Ｍ２）は、各々に空気伝導入力部（ｍａ１，ｍａ２）と骨伝導入力部（ｍｂ１，ｍｂ２）の２系統の入力部を有しており、それぞれの入力部から入力された歌唱音信号は、通常のワイヤレスマイクと同じ仕組みでカラオケ装置（１）の受信器（図示省略）に送信される。なお、各マイク（Ｍ１，Ｍ２）は、それぞれの搬送波をＦＭ変調したＤＣＳ符号などで、そのマイクＩＤが識別される。
【００２０】
そして、カラオケ装置（１）は、中央制御手段（２）と、ＨＤＤ（３）及び各種機能手段などから構成されており、ＨＤＤ（３）には、演奏データや歌詞データあるいは背景映像データなど管理する楽曲ＤＢ（ＤＢ）が記録されており、中央制御手段（２）は、選曲された楽曲の楽曲ＩＤが演奏予約待ち行列に登録され、当該楽曲が演奏される順番になると、当該楽曲ＩＤに紐づけられている演奏データを楽曲ＤＢから検索し、検索された演奏データは音源（５）を用いて再生させ、ミキシングアンプ（１１）を介してスピーカ（ＳＰ）にて出力させる。
【００２１】
次に、ＲＡＭ（４）には、マイクＩＤ管理部（６）と録音データ記録部（８）が設けられており、マイクＩＤ管理部（６）には、前記一体型マイク（Ｍ１，Ｍ２）のマイクＩＤが管理されており、当該マイクＩＤは、各々のマイクの電源スイッチがオンされるタイミングで送信され、カラオケ装置（１）の本体にある受信器（図示省略）が受信したマイクＩＤを、マイクＩＤ記録部（６）に記録することにより、当該カラオケ装置（１）の本体とそれぞれの一体型マイク（Ｍ１，Ｍ２）がペアリングされる。
そして、録音データ記録部（８）には、マイク入力音記録手段（７）にて録音した録音データが記録されており、一方の一体型マイク（Ｍ１）の空気伝導入力部（ｍａ１）に入力された歌唱音は空気伝導録音データ（Ｒａ１）として記録され、骨伝導入力部（ｍｂ１）に入力された歌唱音は骨伝導録音データ（Ｒｂ１）として記録される。他方の一体型マイク（Ｍ２）の空気伝導入力部（ｍａ２）に入力された歌唱音は空気伝導録音データ（Ｒａ２）として記録され、骨伝導入力部（ｍｂ２）に入力された歌唱音は骨伝導録音データ（Ｒｂ２）として記録される。そして、記録された録音データは、録音データ管理テーブル（図３参照）にて、マイクＩＤと歌唱した楽曲の楽曲ＩＤを紐づけ管理される。
【００２２】
次に、録音データ組み合せ抽出手段（９）と録音データ再生制御手段（１０）とは、所定のコマンダより利用者から録音データの再生を受付けた場合に、当該録音データ記録部（８）に記録されている録音データを、録音データ組み合せ抽出手段（９）をもって、上記空気伝導録音データ（Ｒａ１）、骨伝導録音データ（Ｒｂ１）、空気伝導録音データ（Ｒａ２）、骨伝導録音データ（Ｒｂ２）から、必要な録音データを適宜、組み合せて抽出するものである。そして、録音データ再生制御手段（１０）は、録音データ管理テーブルより、当該組み合せ抽出された各録音データに紐づけられた楽曲ＩＤを参照し、当該楽曲ＩＤの演奏データと各録音データとを同期再生するように制御するものである。具体的には、例えば、マイク（Ｍ１）を使用した利用者が、マイク（Ｍ２）のデュエット相手との歌唱を再現したい場合には、自らの空気伝導録音データ（Ｒａ１）と骨伝導録音データ（Ｒｂ１）及び相手の空気伝導録音データ（Ｒａ２）に加え、演奏データを同期再生させるものである。なお、この同期再生とは、同じタイムテーブルで各データを再生するもので、空気伝導録音データと骨伝導録音データとは歌唱時に音声が同時入力されるので、再生開始タイミングを合わせて同じ再生速度とすれば、両者の音声は完全一致で合成された状態で再生される。勿論、演奏データもこのタイムテーブルに従って同じタイミングにて再生される。これにより、利用者は、録音したデュエット相手の歌唱音を歌唱時と同様の雰囲気や印象にて聴けると共に、自身の歌唱音も空気伝導と骨伝導との合成音として聴くことができるため、実際のデュエット歌唱音と同じ雰囲気や印象で違和感なく聴くことができる。
【００２３】
なお、本実施例では、単に、演奏データと各録音データを同期再生するにとどまらず、これらを所定のＣＤやＤＶＤなどの可搬型情報記憶媒体に記録することを可能としているため、書込み手段（１２）が備えられている。したがって、これをもって、演奏データと各録音データを可搬型情報記憶媒体にて同期再生するように、媒体にそれぞれのデータを書き込むことができるものである。
【００２４】
次に、図２に示す「本マイクロホンの形態を示した図」について説明する。
【００２５】
この図２の（ａ）一体型マイクの形態とは、空気伝導マイク入力部（ｍａ１）のグリップ部に、必要な配線類を内蔵した支柱を取り付け、その先端部に骨伝導マイク入力部（ｍｂ２）が装着されている。この支柱は、グリップ接合部を回転軸の中心として、ある程度回動可能としてなり、支柱中央部には、この回動を許容しつつ支柱をサポートするバネ状の補助支柱も備えられ、各歌唱者の顎の形状に違いにも対応できるようにしている。図示しているのは、この一体型マイクを使用し、利用者の歌唱音を同時入力する場合を示すものである。具体的には、空気伝導マイク入力部（ｍａ１）とは、通常利用者がカラオケ装置にて楽曲を歌唱する際に使用されている、ダイナミックマイクやコンデンサマイク等を示しており、楽曲を歌唱する時に利用者の口元近くに位置付けることにより、利用者の声帯からの振動をピックアップし空気音声信号に変換するものである。対して、骨伝導マイク入力部（ｍｂ２）とは、楽曲を歌唱する時の利用者の骨の振動をピックアップし骨伝導信号に変換するものである。この骨伝導マイク入力部（ｍｂ２）は、利用者が歌唱する際に、口元に空気伝導マイク入力部（ｍａ１）を近づけると、必然的に利用者の顎の下に接触するように接合されている。これは通常カラオケマイクを利用者が使用する状況で、楽曲を歌唱する時に違和感や妨げにならず、かつ、歌唱時の骨の振動をピックアップしやすいポイント等を考慮してのものである。
【００２６】
次に、（ｂ）別体型マイクの形態とは、空気伝導マイクと骨伝導マイクが別々である別体型マイクを使用し、利用者の歌唱音を同時入力することを可能としたものである。空気伝導マイク入力部（ｍａ２）は、一体型マイクと同様に通常使用されているダイナミックマイクやコンデンサマイク等が用いられ、利用者の歌唱音が入力され、空気音声信号に変換する。そして、別体型マイク（Ｍ２）の骨伝導マイク入力部（ｍｂ２）とは、ヘッドセットに取り付けられてなる。歌唱時には、利用者は、骨伝導マイク制御部（Ｃ）に接続されたヘッドセットを装着すると、利用者の頬に骨伝導マイク入力部（ｍｂ２）が接触して、頬骨の振動がピックアップされるものである。このようにヘッドセットを装着した状態で空気伝導マイクを持って歌唱すれば、利用者の歌唱音声は同時入力が可能となる。なお、本実施例では、上記形態の空気伝導と骨の伝導複合マイクを使用しているが、本発明はこれに限らず、骨伝道マイクをイヤホン型としても良く、利用者の歌唱音を同時入力することが可能であれば、その他の形態でも構わない。
【００２７】
次に、図３に示す「各録音データの記録とそれらの再生時の組み合せを示す図」を用いて、本発明をさらに詳述する。
【００２８】
図３の（ａ）録音データ管理テーブルの概略図に示す録音データ管理テーブル（Ｔ）は、録音データ記録部（図１参照）に設けられており、マイク入力音記録手段にて録音された空気伝導録音データと骨伝導録音データと、これらの録音データに紐づけられるマイクＩＤ及び楽曲ＩＤを記録したものである。すなわち、その構成要件としては、管理番号を示す「Ｎｏ」フィールド（ｆ１）と、利用者が歌唱した楽曲の楽曲ＩＤを示す「楽曲ＩＤ」フィールド（ｆ２）と、歌唱時に使用したマイクのマイクＩＤを示す「マイクＩＤ」フィールド（ｆ３）と、空気伝導マイク入力部に入力された歌唱音を録音したデータを示す「空気伝導録音データ」フィールド（ｆ４）と、骨伝導マイク入力部に入力された歌唱音を録音したデータを示す「骨伝導録音データ」フィールド（ｆ５）から構成されており、例えば、デュエット楽曲が歌唱された場合には、１つの楽曲ＩＤに対して、２つのマイクＩＤと２組の空気伝導録音データ及び骨伝導録音データが記録されることになる。
【００２９】
次に、図３の（ｂ）録音データの組み合せとは、歌唱者からの録音データ再生を受付けた場合に、録音データ組み合せ抽出手段にて、前記録音データ管理テーブル（Ｔ）に記録されている録音データを抽出し組み合わせた際の一例である。
【００３０】
先ず、（ｂ１）「ソロ楽曲」の録音データの組み合せとは、例えば、マイクＩＤ「Ｍ１」を使用した歌唱者から楽曲ＩＤ「*****１」のソロ楽曲の録音データの再生を受付けた場合、その歌唱時の空気伝導録音データと骨伝導録音データとが組み合わされ、具体的には、マイクＩＤ「Ｍ１」に対応した空気伝導録音データ「Ｒａ１」と骨伝導録音データ「Ｒｂ１」が組み合される。
次に、（ｂ２）デュエット楽曲の録音データの組み合せとは、デュエット楽曲、例えば、楽曲ＩＤ「*****５」を歌唱した、マイクＩＤ「Ｍ１」の利用者またはマイクＩＤ「Ｍ２」の利用者のうち、どちらかの利用者から録音データの再生を受付けた場合に、当該利用者の歌唱音が入力されたマイクのマイクＩＤを主体として、録音データを組み合わせるものである。すなわち、当該デュエット楽曲の組み合せとして、マイクＩＤ「Ｍ１」を利用した利用者を主体とした場合には、マイクＩＤ「Ｍ１」を使用した利用者の空気伝導録音データ「Ｒａ１」とが骨伝導録音データ「Ｒｂ１」の各録音データと、デュエット相手であるマイクＩＤ「Ｍ２」の空気伝導録音データ「Ｒａ２」が組み合される。そして、逆にマイクＩＤ「Ｍ２」を利用した利用者を主体とした場合には、マイクＩＤ「Ｍ２」を使用した利用者の空気伝導録音データ「Ｒａ２」と骨伝導録音データ「Ｒｂ２」の各録音データと、さらにデュエット相手であるマイクＩＤ「Ｍ１」の空気伝導録音データ「Ｒａ１」とが組み合される。
そして、当該組み合せ抽出された各々の録音データは、録音データ再生制御手段により、その楽曲ＩＤに対応した演奏データと共に同期再生される。
【００３１】
次に、図４に示す「空気伝導及び骨伝導録音データを同期再生する処理を示すフロー」を用いて、利用者の歌唱音の録音から、各録音データと演奏データを同期再生するまでの処理について説明する。
【００３２】
図４の（ａ）ソロ楽曲の場合の処理とは、ソロ楽曲の歌唱音の録音から、空気伝導録音データと骨伝導録音データの各録音データ及び演奏データとを同期再生させるまでの流れを示したものである。先ず、利用者が選曲楽曲を予約登録し、その予約楽曲の演奏が開始すると録音も開始される（Ｓ１）。すなわち、演奏開始から空気伝導及び骨伝導マイクに同時入力される歌唱音が記録される（Ｓ２）。そして、演奏が終了すると歌唱音の録音も終了し（Ｓ３）、録音された各録音データは空気伝導録音データ及び骨伝導録音データに分類され、ＲＡＭの録音データ記録部に記録される（Ｓ４）。次に、利用者により録音データの再生の受付があった場合には（Ｓ５）、登録されている空気伝導録音データ及び骨伝導録音データを組み合せて抽出し（Ｓ６）、これらの録音データと、さらに、これらに紐付けられている演奏データを同期再生する（Ｓ７）。なお、利用者により録音データの受付がなかった場合には、予約楽曲の演奏が開始される前までの処理まで戻る。
【００３３】
次に、図４の（ｂ）デュエット楽曲の場合の処理とは、デュエット楽曲の歌唱音の録音から、録音された歌唱音の各録音データと演奏データとを同期再生させるまでの流れを示したものである。先ず、利用者がそれぞれ使用するマイクＩＤ（ワイヤレスマイクならば周波数チャンネル、ワイワードマイクならば使用接続ジャックにて区別）は予めカラオケ装置に認識されており、上記ソロ楽曲と同様に、利用者が選曲楽曲を予約登録し、その予約楽曲の演奏が開始するとそれぞれのマイクからの歌唱音声の録音も開始される（Ｓ１）。すなわち、演奏開始からそれぞれの空気伝導及び骨伝導マイクに同時入力される歌唱音が録音される（Ｓ２）。そして、演奏が終了すると歌唱音の録音も終了し（Ｓ３）、録音された各録音データは空気伝導録音データ及び骨伝導録音データに分類され、ＲＡＭの録音データ記録部に記録される（Ｓ４）。次に、デュエット楽曲の利用者から録音データの再生の受付があった場合には（Ｓ５）、何れかのマイクから（例えば、マイクＭ１及びＭ２どちらから）の受付かが判断され（Ｓ６）、マイクＭ１を利用した利用者からマイクＭ１を指定した受付の場合には、マイクＭ１を主体に各録音データの組み合せ抽出を行い(Ｓ７)、マイクＭ２を指定した受付の場合には、マイクＭ２を主体に各録音データの組み合せ抽出を行う（Ｓ８）。ここで、「主体とする組み合わせ抽出」とは、主体するマイクの録音データである空気伝導録音データ及び骨伝導録音データに加え、主体とされていないマイクの録音データである空気伝導録音データのみを組み合わせて抽出することを言う。そして、各々組み合抽出された録音データと、録音データに紐づけられている演奏データとを同期再生する（Ｓ９）。
【００３４】
以上のように、本発明の歌唱音録音再生システムによれば、所定の楽曲が歌唱された際に、空気伝導マイク及び骨伝導マイクから同時入力された歌唱音を、空気伝導録音データ及び骨伝導録音データに分類し各録音データを記録することにより、利用者の空気録音データと骨伝導データを組み合せ抽出し、同期再生することが可能となる。よって、利用者は、録音した自身の歌唱音を空気伝導と骨伝導との合成音として聴くことができるため、実際の歌唱音と同じ雰囲気や印象で違和感なく聴くことができる。
【符号の説明】
【００３５】
１              カラオケ装置
２              中央制御手段
３              ＨＤＤ
４              ＲＡＭ
７              マイク入力音記録手段
８              録音データ記録部
９              録音データ組み合せ抽出手段
１０            録音データ再生制御手段
１２            録音データ書込み手段
Ｍ１，Ｍ２      一体型マイク
ｍａ１，ｍｂ１  空気伝導入力部
ｍａ２，ｍｂ２  骨伝導入力部
【図１】
2010176041.tif 000003
【図２】
2010176041.tif 000004
【図３】
2010176041.tif 000005
【図４】
2010176041.tif 000006